(57)【要約】【課題】簡便な手法により、遠隔位置から放射性物質を含む固液混合体を移送することが可能な固液混合体の移送方法等を提供する。【解決手段】放射性物質を含む液体と固形分との固液混合体の層が形成された容器から、この固液混合体を移送する方法であって、一端側がホースポンプの吸込側に接続された移送管の他端側の吸込口を、前記固液混合体の層の上面側から、当該固液混合体の層内に挿入する。次いで、前記ホースポンプを作動させ、前記移送管を介して固液混合体を吸い上げて、移送先へ移送する。【選択図】図１
2014010078.tif 000002
【特許請求の範囲】
【請求項１】
放射性物質を含む液体と固形分との固液混合体の層が形成された容器から、この固液混合体を移送する方法であって、
一端側がホースポンプの吸込側に接続された移送管の他端側の吸込口を、前記固液混合体の層の上面側から、当該固液混合体の層内に挿入する工程と、
前記ホースポンプを作動させ、前記移送管を介して固液混合体を吸い上げて、移送先へ移送する工程と、を含むことを特徴とする固液混合体の移送方法。
【請求項２】
前記ホースポンプにより移送される固液混合体の前記吸込口からの吸い上げ高さが３〜３０ｍであることを特徴とする請求項１に記載の固液混合体の移送方法。
【請求項３】
前記放射性物質は、固形分として、放射性廃液を処理した粒状のイオン交換樹脂、または放射性廃液から沈殿した沈殿物を含むことを特徴とする請求項１または２に記載の固液混合体の移送方法。
【請求項４】
前記移送管の吸込口が前記固液混合体の層内に挿入された状態を維持するために、当該固液混合体の層の上面の位置の低下に合わせて吸込口の位置を降下させる工程を含むことを特徴とする請求項１ないし３のいずれか一つに記載の固液混合体の移送方法。
【請求項５】
前記固液混合体の層内に挿入された前記移送管の吸込口に希釈液を供給して、この吸込口から吸い込まれる固液混合体を希釈する工程を含むことを特徴とする請求項１ないし４のいずれか一つに記載の固液混合体の移送方法。
【請求項６】
前記容器内の固液混合体の層の上層側には液体層が形成されており、前記希釈液は、この液体層から供給されることを特徴とする請求項５に記載の固液混合体の移送方法。
【請求項７】
放射性物質を含む液体と固形分との固液混合体の層が形成された容器から、この固液混合体を移送する装置であって、
固液混合体の移送用のホースポンプと、
一端側がこのホースポンプの吸込側に接続され、前記固液混合体の層の上面側から、当該混合体の層内に挿入される吸込口が他端側に設けられた移送管と、を備えたことを特徴とする固液混合体の移送装置。
【請求項８】
前記ホースポンプにより移送される固液混合体の前記吸込口からの吸い上げ高さが３〜３０ｍであることを特徴とする請求項７に記載の固液混合体の移送装置。
【請求項９】
前記放射性物質は、固形分として、放射性廃液を処理した粒状のイオン交換樹脂、または放射性廃液から沈殿した沈殿物を含むことを特徴とする請求項７または８に記載の固液混合体の移送装置。
【請求項１０】
前記移送管に設けられ、前記吸込口の高さ位置を移動させる昇降機構と、
前記吸込口が前記固液混合体の層内に挿入された状態を維持するために、当該固液混合体の層の上面の位置の低下に合わせて吸込口の位置を降下させるように前記昇降機構に制御信号を出力する高さ位置制御部と、を備えることを特徴とする請求項７ないし９のいずれか一つに記載の固液混合体の移送装置。
【請求項１１】
前記吸込口には、当該吸込口から吸い込まれる固液混合体を希釈するための希釈液を供給する希釈液供給部が設けられていることを特徴とする請求項７ないし１０のいずれか一つに記載の固液混合体の移送装置。
【請求項１２】
前記容器内には、前記容器内の固液混合体の層の上層側には液体層が形成されており、
この液体層から液体を抜き出すための抜出管と、
前記液体層から抜出された液体を希釈液として前記希釈液供給部に供給する供給管と、
吸込側が前記抜出管に接続される一方、吐出側が前記供給管に接続された希釈液移送用のホースポンプと、を備えることを特徴とする請求項１１に記載の固液混合体の移送装置。
【請求項１３】
前記固液混合体移送用のホースポンプに設けられ、前記移送管を移送される固液混合体の流量を調節するための第１の流量調節部と、
前記希釈液移送用のホースポンプに設けられ、前記希釈液供給部に供給される希釈液の流量を調節するための第２の流量調節部と、
前記固液混合体の流量と希釈液の流量との流量比が予め設定された範囲内の値となるように制御信号を出力する流量制御部と、を備えることを特徴とする請求項１２に記載の固液混合体の移送装置。
【発明の詳細な説明】
【技術分野】
【０００１】
本発明は、放射性物質を含む固液混合体を移送する技術に関する。
【背景技術】
【０００２】
原子力発電所等で発生する放射性廃棄物には、放射性の廃水を処理した後のイオン交換樹脂（以下、単に「樹脂」という）と、廃水とを含んでいるものがある。このように廃水（液体）と樹脂（固形分）とを含む放射性廃棄物は、例えば処理が行われるまでの期間中、タンク（容器）に貯蔵され、その後、タンクから抜出されて処理設備へと移送される。廃水処理に用いられる樹脂は、直径がサブミリメートル〜数ミリメートル程度の例えば粒状に成型され、タンク内に沈降した状態で固液混合体の層を形成する。
【０００３】
また、放射性廃棄物である廃水をタンクに貯蔵した後、タンク内で沈殿した沈殿物を廃水と共にスラッジとして処理設備へと移送する作業が必要となることもある。このスラッジも固形分である沈殿物と、液体である廃水との固液混合体に相当する。
【０００４】
しかしながら、この種のタンクには、固形分と液体との固液混合体ように流動性の低い物質を移送する設備を備えていないものもある。一方で、固液混合体を抜き出す設備を後付けでタンクに接続する作業は、作業環境の確保の観点から困難な場合も多い。
【０００５】
例えば特許文献１〜３には、ホースなどの先端に取り付けたポンプをタンク内に挿入し、底部に溜まった放射性のスラッジを流動化させながらこのポンプによりスラッジを抜き出す手法が記載されている。これらの特許文献に記載された技術は、いずれもタンク内へのポンプの挿入操作、及びスラッジの流動化操作を行っている。このような操作が行われる理由は、抜き出しに利用されているポンプが、インペラーポンプ（例えば引用文献１の段落０００４、図２（ｂ）参照）などのように、空引きを防ぐため吸込圧力を与える必要があるものであり、また、スラッジに十分な流動性がないと、移送を行えないためであると考えられる。
【０００６】
しかしながら、実際にタンク内でこの種のポンプを作動させようとすると、自身の振動によってポンプが振れ、安定した状態で抜き出し作業が行えないことから、ポンプを固定する架構をタンク内に設置しなければならないおそれがある。また、スラッジの層の上層に上澄層（液体層）が存在するタンク内でスラッジを流動化するためには、これらの層の界面を特定し、この界面近傍で流動化操作を行わなければ、上澄の液体だけが抜出されてしまう場合もある。
【先行技術文献】
【特許文献】
【０００７】
【特許文献１】特開平９−２８１２９５：段落０００４、００１１、図１、図２
【特許文献２】特開２０１１−２３７３２０：段落００２９〜００３１、図１
【特許文献３】特開２０１２−３７２７１：段落００３４〜００３６、図１
【発明の概要】
【発明が解決しようとする課題】
【０００８】
本発明はこのような事情の下になされたものであり、その目的は、簡便な手法により、遠隔位置から放射性物質を含む固液混合体を移送することが可能な固液混合体の移送方法及び固液混合体の移送装置を提供することにある。
【課題を解決するための手段】
【０００９】
本発明における固液混合体の移送方法は、放射性物質を含む液体と固形分との固液混合体の層が形成された容器から、この固液混合体を移送する方法であって、
一端側がホースポンプの吸込側に接続された移送管の他端側の吸込口を、前記固液混合体の層の上面側から、当該固液混合体の層内に挿入する工程と、
前記ホースポンプを作動させ、前記移送管を介して固液混合体を吸い上げて、移送先へ移送する工程と、を含むことを特徴とする。
【００１０】
前記固液混合体の移送方法は以下の特徴を備えていてもよい。
（ａ）前記ホースポンプにより移送される固液混合体の前記吸込口からの吸い上げ高さが３〜３０ｍであること。  
（ｂ）前記放射性物質は、固形分として、放射性廃液を処理した粒状のイオン交換樹脂、または放射性廃液から沈殿した沈殿物を含むこと。  
（ｃ）前記移送管の吸込口が前記固液混合体の層内に挿入された状態を維持するために、当該固液混合体の層の上面の位置の低下に合わせて吸込口の位置を降下させる工程を含むこと。  
（ｄ）前記固液混合体の層内に挿入された前記移送管の吸込口に希釈液を供給して、この吸込口から吸い込まれる固液混合体を希釈する工程を含むこと。このとき、前記容器内の固液混合体の層の上層側には液体層が形成されており、前記希釈液は、この液体層から供給されること。
【発明の効果】
【００１１】
本発明によれば、自吸能力が高く、流動性の低い固液混合体を移送可能なホースポンプを利用するので、放射性物質を含む固液混合体を離れた位置から簡便に移送することができる。
【図面の簡単な説明】
【００１２】
【図１】実施の形態に関わる移送装置の構成を示す説明図である。
【図２】前記移送装置に設けられているホースポンプの作用説明図である。
【図３】前記移送装置に設けられている吸込ノズルの縦断側面図である。
【図４】前記移送装置の第１の作用説明図である。
【図５】前記移送装置の第２の作用説明図である。
【発明を実施するための形態】
【００１３】
本発明の固液混合体の移送装置の実施の形態として、放射性廃水を処理した樹脂を廃水と共に貯蔵する容器である廃樹脂タンク１から、当該樹脂の移送を行う移送装置の構成について、図１〜図３を参照しながら説明する。
【００１４】
本例の廃樹脂タンク１は、例えば原子力発電設備の建屋内に設けられた収容室１２に収容され、この廃樹脂タンク１には建屋の２階側からアクセスすることができる。廃樹脂タンク１には、マンホールや保守点検用穴などからなる開口部１１が設けられており、この開口部１１を介して各種のライン３１０、５１０、５２０を構成するホースや配管が挿入される。
【００１５】
廃樹脂タンク１内には、固形分である樹脂と液体である廃水とが貯蔵され、その底部側には比重の重い樹脂が沈降し、これら樹脂同士の隙間に廃水が入り込んで、固液混合体の層（樹脂層１０１）を形成している。樹脂の例としては、アニオン樹脂やカチオン樹脂など、イオン交換樹脂を挙げることができ、例えばサブミリメートル〜数ミリメートル程度の粒状に成型されている。
【００１６】
この樹脂層１０１の上層側には、主として廃水のみを含む液体層である上澄層１０２が形成されている。上澄層１０２は、廃樹脂タンク１を収容する建屋の２階側を、放射性物質を吸着した樹脂が溜まっている樹脂層１０１から遮蔽する役割も果たしている。
【００１７】
この廃樹脂タンク１から樹脂と廃水との固液混合体を移送する移送装置は、固液混合体の移送を行う移送管である移送ライン３１０と、この移送ライン３１０の先端部に設けられ、吸込口を構成する吸込ノズル４と、移送ライン３１０の基端側に接続された移送ポンプ２ａと、を備えている。
【００１８】
移送ポンプ２ａは、例えば収容室１２の２階の床部１３上に配置され、樹脂層１０１の上面から少なくとも１ｍ以上高い位置に設置されている。移送ポンプ２ａは、ホースポンプ２によって構成され、高い自吸能力により、高さ距離の離れた位置から固液混合体を吸い上げて移送することができる。
【００１９】
図２（ａ）、（ｂ）に示すように、ホースポンプ２は、例えば扁平な円筒形状のケーシング２１１の内壁面に沿って、ゴムなどの可塑性のある材料からなるポンプホース２１２を配置し、このポンプホース２１２の内周側に、回転軸２１５を中心に回転する円板状のローター２１３を設けた構造となっている。このローター２１３には、ケーシング２１１の内壁面側へ向けて突出した半円状の押圧部２１４が、例えばローター２１３の直径方向に対向するように、２箇所に設けられている。
【００２０】
そして、ローター２１３を回転させると、前記押圧部２１４がポンプホース２１２の内周面をしごくようにして、ポンプホース２１２をケーシング２１１の内壁面に向けて押しつぶす。この結果、押圧部２１４の移動方向（ローター２１３の回転方向）、即ち、ホースポンプ２の吸込側から吐出側へ向けて、ホースポンプ２の内容物を押し出すことができる。
【００２１】
このようにホースポンプ２は、ケーシング２１１と押圧部２１４との間に形成される空間を強制的に移動させて内容物を押し出す容積ポンプの一種である。このため、インペラーポンプなどとは異なり、高さ距離の離れた場所からものを吸い上げる自吸能力や、高い場所に移送対象物を持ち上げる能力を持つ。また、弾力性のあるポンプホース２１２を介して内容物を押し出すので、固形物を含んだ固液混合体などの移送にも適している。
【００２２】
従来、ホースポンプ２は、主としてビル建築などにおける生コンクリートの移送など、ホースポンプ２の吐出側から移送対象物を高所へと持ち上げる場合などに利用されてきた。一方で、３ｍ以上も高さ距離が離れた位置から吸込側へ向けて移送対象物を吸い上げるといった用途にホースポンプ２を適用した例はあまり知られていない。これは、放射性廃棄物のように、近付くことが困難な固形混合物を移送するという課題に対して、ホースポンプ２の自吸能力を利用することが有効であることが見出されていなかったためであると考えられる。一方で、従来の放射性物質を含む固液混合体のタンクからの輸送は、タンク内にポンプを挿入して行われてきたことは、背景技術において説明した通りである。
【００２３】
以上に説明したホースポンプ２によって構成される移送ポンプ２ａは、図１に示すように、ローター２１３を回転させるためのモーター２２ａを備えている。このモーター２２ａは、インバーター２３ａにより回転速度を変えることによって固液混合体の流量を調節することができる。モーター２２ａ、インバーター２３ａは、本例の第１の流量調節部に相当する。
【００２４】
移送ライン３１０は、その一端側が上記移送ポンプ２ａの吸込側に接続されている一方、その中段部分を把持昇降機構６ａにて把持され、他端側の吸込ノズル４を吊り下げるように配置されている。そして、この吸込ノズル４は開口部１１を介して廃樹脂タンク１内に挿入されている。移送ライン３１０には、ゴムホースや金属配管など、樹脂を含む固液混合体の移送に適した強度を持つ材料からなる配管が利用される。
【００２５】
把持昇降機構６ａは、移送ライン３１０の配管を把持する把持部６２ａと、この把持部６２ａを支持する支柱部６１ａとから構成され、把持部６２ａは例えば不図示のリニアモーターなどを備え、支柱部６１ａに沿って上下方向に昇降自在に構成されている。また、把持部６２ａによって把持された移送ライン３１０の下流側の部位は、把持部６２ａの昇降動作に伴って、伸縮、または変形可能な部材で構成された可動部３１１となっている。把持昇降機構６ａは吸込ノズル４（吸込口）の高さ位置を移動させるための昇降機構に相当する。
【００２６】
把持部６２ａによって把持され、廃樹脂タンク１内に吊り下げられるようにして移送ライン３１０の先端に設けられた吸込ノズル４は、図１、図３に示すように、上澄層１０２を介して樹脂層１０１の上面側から、当該樹脂層１０１の層内に挿入される。吸込ノズル４は、把持昇降機構６ａから吊り下げられた状態で樹脂層１０１の層内に挿入されたとき、その先端部をほぼ下方側へ向けた状態を維持できるように、十分な重量を備えた例えば金属製の部材によって構成されている。
【００２７】
吸込ノズル４が樹脂層１０１に挿入されていることの判断は、廃樹脂タンク１への樹脂を含む廃液の払い出し量などあるいは界面計等により樹脂層１０１の上面のおおよその位置を予め把握しておき、この予測位置よりも十分に下方側に吸込ノズル４が位置するように把持部６２ａを降下させてもよい。また、吸込ノズル４を吊り下げた状態で把持部６２ａを徐々に降下させていき、吸込ノズル４が樹脂層１０１の上面に当たったり、移送ライン３１０の配管がたわんだりするなど、吸込ノズル４が樹脂層１０１に挿入されたことを示す「手応え」があった位置にて樹脂の移送を開始してもよい。このほか、移送ポンプ２ａを稼働させながら吸込ノズル４を降下させ、吐出側から樹脂が出てきた位置を樹脂層１０１の上面として特定するなどしてもよい。いずれにしても、従来技術にて利用されてきたインペラーポンプなどのように、樹脂層１０１と上澄層１０２との界面を正確に特定する必要はなく、吸込ノズル４が樹脂層１０１に挿入された状態を確認できればよい。
【００２８】
ここで図１に示した例においては、吸込ノズル４から移送ポンプ２ａの吸込側までの移送ライン３１０のうち、吸込ノズル４の下端からの高さ方向の最大距離（本例では吸込ノズル４の下端から把持昇降機構６ａに保持された可動部３１１の上端の位置までの距離）はＨ［ｍ］となっている。従って、移送ポンプ２ａを構成するホースポンプ２は、この距離（Ｈ［ｍ］）以上の吸上げ高さ（自吸能力）を備えるものが必要となる。放射性廃棄物を貯蔵した廃樹脂タンク１からの固液混合体の移送においては、この固液混合体の吸上げ高さが３〜３０ｍの範囲、好適には５〜２０ｍの範囲が選択される。なお、移送ライン３１０における、吸込ノズル４の下端からの高さ方向の最大距離は、移送ライン３１０の配置状態によって適宜変更され、例えば移送ポンプ２ａが可動部３１１よりも高い位置に配置されていれば、吸込ノズル４の下端から移送ポンプ２ａの吸込側までの高さ距離が前記最大距離となる。
【００２９】
図３に示すように本例の吸込ノズル４は、移送ライン３１０の先端部に接続された直管状の部材からなる内管部４１１と、この内管部４１１を外周側から覆って二重円筒を構成するように設けられた直管状の部材からなる外管部４１２と、を備えている。吸込ノズル４が樹脂層１０１に挿入された状態のとき、内管部４１１及び外管部４１２の先端部は樹脂層１０１に向けて開口している。
【００３０】
また、外管部４１２は、基端部が塞がれている一方、その側面には、外管部４１２に向けて樹脂層１０１の樹脂（固液混合体）を希釈するための希釈液を供給する導入管部４１３が接続されている。この外管部４１２から希釈液を供給し、吸込ノズル４が挿入された樹脂層１０１の周囲の樹脂を希釈して、樹脂を含む固液混合体が流れやすくすることにより、移送ポンプ２ａを利用した移送をしやすくしている。吸込ノズル４に設けられた外管部４１２や導入管部４１３は、本例の希釈液供給部に相当する。
【００３１】
本実施の形態においては、外管部４１２から供給される希釈液として、上澄層１０２の廃水が利用される。図１、図３に示すように吸込ノズル４（導入管部４１３）は、供給ライン５２０（供給管）を介して希釈水ポンプ２ｂの吐出側に接続されており、希釈水ポンプ２ｂの吸込側は抜出ライン５１０（抜出管）に接続されている。抜出ライン５１０の先端は、開口部１１を介して廃樹脂タンク１内の上澄層１０２に挿入されている。
【００３２】
希釈水ポンプ２ｂはホースポンプ２によって構成されており、希釈水ポンプ２ｂが設けられた床部１３上の位置よりも１ｍ以上も下方側にある上澄層１０２から廃水を吸引することができる。移送ポンプ２ａの場合と同様に、希釈水ポンプ２ｂのモーター２２ｂにもローター２１３の回転速度を変えて、廃水の流量を調節するためのインバーター２３ｂが設けられている。モーター２２ｂ、インバーター２３ｂは、本例の第２の流量調節部に相当する。
なお、第１の流量調節部、第２の流量調節部による調節を行わず、あらかじめ設定された流量に固定して固液混合体を移送してもよい。
【００３３】
また、樹脂層１０１に挿入される供給ライン５２０の中段部分は、支柱部６１ｂと把持部６２ｂとを備え、上下方向に昇降自在に構成された把持昇降機構６ｂによって把持されている。そして、把持昇降機構６ｂは樹脂層１０１の上面の位置の移動に合わせて供給ライン５２０を降下させることができる点、及び把持部６２ｂの昇降動作に伴って、伸縮、または変形可能な部材で構成された可動部５２１が設けられている点については移送ライン３１０の場合と同様である。この把持昇降機構６ｂについても、吸込ノズル４（吸込口）の高さ位置を移動させるための昇降機構に相当する。
【００３４】
樹脂の固液混合体の希釈液として上澄層１０２の廃水を用いることにより、外部から新たな希釈水を受け入れる場合に比べて、放射性廃水の増加を防ぐことができる。但し、供給ライン５２０には、必要な場合に外部から新たな希釈水の受け入れを行うための補給水ライン５３０が接続されている。
【００３５】
このように、本例の吸込ノズル４には、樹脂層１０１の樹脂に希釈液を供給するための希釈液供給部（外管部４１２、導入管部４１３）、及び上澄層１０２の廃水をこの希釈液供給部に供給するための供給系統が設けられている。しかしながら、インペラーポンプなどを利用する場合とは異なり、樹脂層１０１の樹脂（固液混合体）を希釈する操作は必須ではない。上澄層１０２の下層側に沈降している樹脂層１０１を構成する樹脂程度の流動性があれば、希釈を行わなくても十分に移送可能な自吸能力を移送ポンプ２ａは備えている。
【００３６】
また移送装置は、制御部７と接続されている。制御部７は図示しないＣＰＵと記憶部とを備えたコンピュータからなり、記憶部には移送装置の作用、即ち移送ポンプ２ａ、希釈水ポンプ２ｂや把持昇降機構６ａ、６ｂを作動させて、廃樹脂タンク１内の樹脂層１０１から樹脂を移送する動作に係わる制御についてのステップ（命令）群が組まれたプログラムが記録されている。
【００３７】
特に制御部７は、樹脂層１０１内の樹脂が移送されたことに伴い、樹脂層１０１の上面の位置が低下したとき、吸込ノズル４が当該樹脂層１０１内に挿入された状態を維持するために、吸込ノズル４（吸込口）の位置を降下させるように把持昇降機構６ａ、６ｂに制御信号を出力する。この観点において制御部７は、吸込ノズル４の高さ位置制御部としての機能を備えている。
【００３８】
また制御部７は、移送ライン３１０を介して移送される樹脂の流量と、抜出ライン５１０及び供給ライン５２０を介して吸込ノズル４に供給される希釈液の流量と、の流量比が予め設定した範囲内の値となるように、第１、第２の流量調節部を構成するインバーター２３ａ、２３ｂに、モーター２２ａ、２２ｂの回転速度を制御する制御信号を出力する。この観点において制御部７は、流量制御部としての機能を備えている。
【００３９】
以上に説明した構成を備えた移送装置を用いた固液混合体の移送方法の作用について図４、図５を参照しながら説明する。初めに、樹脂層１０１の上面側から、当該樹脂層１０１内に吸込ノズル４を挿入する。そして、希釈水ポンプ２ｂのモーター２２ｂをオンにして樹脂の希釈を開始する。希釈液の供給を開始すると、図３に模式的に示すように樹脂１００が分散し、移送ライン３１０による移送が行われやすい状態となる。
【００４０】
本例においては、移送ライン３１０を移送される樹脂の単位時間あたりの体積流量と、供給ライン５２０から供給される希釈液の単位時間当たりの体積流量との比が例えば１：１〜３：１の範囲に調整されている。円筒形状の廃樹脂タンク１において、樹脂層１０１の高さと上澄層１０２の高さとの比が１：１であれば、移送される樹脂（希釈液を含む）と希釈液との流量比が２：１程度となるように調節することにより、樹脂層１０１及び上澄層１０２の高さの比を変えずに樹脂を抜き出すことができる。
【００４１】
しかる後、図４に示すように移送ポンプ２ａのモーター２２ａをオンにして樹脂層１０１の樹脂（固液混合体）の移送を開始する。樹脂は、移送ライン３１０内を上方側へ向けて移動し、移送ポンプ２ａのポンプホース２１２に進入したあと、吐出側に接続された送出ライン３２０を介して処理設備等へ移送される。
【００４２】
このようにして樹脂の移送を継続すると、樹脂層１０１の上面の位置が下がっていくので、この位置の低下に合わせて把持昇降機構６ａ、６ｂを作動させ、吸込ノズル４（吸込口）を降下させる（図５）。樹脂層１０１の上面の位置の低下は、例えば廃樹脂タンク１の側面にガラス窓などを設けて目視により観察してもよいし、上澄層１０２の廃水よりも重く、樹脂層１０１の樹脂よりも軽い浮きなどを利用した界面計などを利用して特定してもよい。また、送出ライン３２０から送り出された樹脂の量から前記上面の位置の変化を算出してもよい。
【００４３】
図５に示した例では、樹脂層１０１や上澄層１０２のレベルが低下し、上澄層１０２の上面の位置が抜出ライン５１０の下端の位置よりも低くなった後は、希釈水ポンプ２ｂの稼働を停止し、補給水ライン５３０から新たな希釈水を受け入れて樹脂の希釈を行っている。但し、補給水ライン５３０からの希釈水の受け入れは必須の要件ではない（抜出ライン５１０、供給ライン５２０、補給水ライン５３０を設置しなくてもよい）。例えば抜出ライン５１０を昇降させる昇降機構をさらに設けて、上澄層１０２の上面の位置の低下に合わせて抜出ライン５１０を降下させてもよいし、上澄層１０２から希釈水を抜き出すことができなくなった後は、吸込ノズル４への希釈液の供給を停止してもよい。
【００４４】
本実施の形態に関わる移送装置によれば以下の効果がある。自吸能力が高く、インペラーポンプなどと比べて流動性の低い固液混合体であっても移送可能なホースポンプ２を利用するので、放射性物質を含む樹脂を高さ距離の離れた位置から簡便に移送することができる。
【００４５】
ここで、図１においては、建屋の収容室１２内に廃樹脂タンク１が収容され、ホースポンプ２が上階に設置されている例を挙げたが、例えば、廃樹脂タンク１のルーフ上に移送ポンプ２ａ等を設けたり、廃樹脂タンク１の周囲に架構を建設して移送ポンプ２ａを配設したりすることもできる。
【００４６】
また、図１に示した移送装置は、樹脂の希釈液として、上澄層１０２の廃水を利用する抜出ライン５１０及び供給ライン５２０と、外部から希釈水を受け入れる補給水ライン５３０との双方を備えている。このように２つの系統から希釈水を供給することも必ずしも必要ではなく、抜出ライン５１０、供給ライン５２０のみを備えていてもよいし、放射性廃水の増加の問題が大きくなければ補給水ライン５３０のみを設けてもよい。
【００４７】
さらに移送ライン３１０、供給ライン５２０を降下させる把持昇降機構６ａ、６ｂを設けることも必須の要件ではなく、例えば樹脂層１０１の上面の低下に合わせて移送ライン３１０、供給ライン５２０を構成する配管を継ぎ足したり、巻き取られていたホースを伸ばしたりしてもよい。
【００４８】
また、本実施の形態の移送装置を利用して移送可能な放射性物質を含む固液混合体は、固形分として放射性廃液を処理した樹脂を含む場合に限定されず、放射性廃液から沈殿した沈殿物と廃液とを含むスラッジの移送にも適用することができる。
【実施例】
【００４９】
（検討及び実験）
自吸能力を持つ各種のポンプについて、樹脂を含む固液混合体の移送の適否を検討、実験した。実験に際しては、平均直径０．７ｍｍの樹脂に３０体積％の水を含む固液混合体を利用した。
Ａ．実験、検討条件
（実施例１）自吸能力９．８ｍ水柱のホースポンプ２を用いて検討を行った。
（比較例１）自吸能力７．８ｍ水柱の空気駆動式のダイヤフラムポンプを用いて検討を行った。
（比較例２）自吸能力８．０ｍ水柱の自吸式遠心ポンプを用いて検討を行った。
【００５０】
Ｂ．実験、検討結果
実施例１及び比較例１、２に係る自給式ポンプの評価結果を表１に示す。
【表１】
2014010078.tif 000003
【００５１】
実施例１に係るホースポンプ２は、希釈水なしで上記樹脂の固液混合体の移送が可能であることを確認した。一方、比較例１は、ポンプ内、逆止弁等に樹脂が滞留し、希釈水なしでは固液混合体の移送は行えなかった。なお、大量の希釈水を伴う場合（樹脂と希釈水が２：８）には移送できた。また、比較例２については、運転初期に真空を発生する機構を備えており、構造が複雑なため、樹脂が詰まることが明らかであり、樹脂の移送実験は行えなかった。  
このように、低い位置にある移送対象物を吸い上げる能力を持つ種々の自給式ポンプの中でも、ホースポンプ２が放射性物質を含む固液混合体の移送に好適であることが確認された。
【符号の説明】
【００５２】
１          廃樹脂タンク
１０１      樹脂層
１０２      上澄層
２          ホースポンプ
２ａ        移送ポンプ
２ｂ        希釈水ポンプ
モーター
２３ａ、２３ｂ
インバーター
３１０      移送ライン
３２０      送出ライン
４          吸込ノズル
６ａ、６ｂ  把持昇降機構
６１ａ、６１ａ
７          制御部
【図１】
2014010078.tif 000004
【図２】
2014010078.tif 000005
【図３】
2014010078.tif 000006
【図４】
2014010078.tif 000007
【図５】
2014010078.tif 000008
【手続補正書】
【提出日】平成24年7月2日(2012.7.2)
【手続補正１】
【補正対象書類名】図面
【補正対象項目名】全図
【補正方法】変更
【補正の内容】
【図１】
2014010078.tif 000009
【図２】
2014010078.tif 000010
【図３】
2014010078.tif 000011
【図４】
2014010078.tif 000012
【図５】
2014010078.tif 000013